(57)【特許請求の範囲】
【請求項１】
かみそりヘッド（７）に着脱される外刃ホルダー（１２）と、外刃ホルダー（１２）で逆Ｕ字状に保持される外刃（１１）とを備えており、
外刃（１１）は、シート状の網刃からなる刃本体（２１）と、刃本体（２１）の装着ベース（２２）に固定される補強板（２３）とを備えており、
装着ベース（２２）と補強板（２３）とを含む取付基部（２６）の左右に、外刃ホルダー（１２）の内面に突設した逆Ｌ字状の掛止フック（３５）に下方から掛止装着される掛止穴（２４）が設けられており、
左右の掛止フック（３５）の間に位置する外刃ホルダー（１２）の内面壁と、前記内面壁と対向する取付基部（２６）とのいずれか一方に支点突起（４０）が設けられており、
取付基部（２６）を支点突起（４０）に押し付けて、取付基部（２６）を内方傾動させながら分離操作するための操作部（２７）が取付基部（２６）に形成してあり、
装着ベース（２２）の内面側に補強板（２３）が固定されて、補強板（２３）の下縁寄りに操作部（２７）が形成されており、
外刃ホルダー（１２）の掛止フック（３５）の近傍に、左右一対の支点突起（４０）が分離配置されており、
支点突起（４０）の接当面（４１）が、掛止フック（３５）の掛止腕（３６）の中央と操作部（２７）の中央とを結ぶ仮想線（Ｌ）上に設けてある電気かみそり。
【請求項２】
かみそりヘッド（７）の背面側に、きわ剃り刃ユニット（６）が配置されており、
外刃ホルダー（１２）の前側内面壁（３１ａ）と、前側内面壁（３１ａ）に対向する取付基部（２６）とのいずれか一方に、支点突起（４０）が設けてある請求項１記載の電気かみそり。
【請求項３】
装着ベース（２２）の内面側に補強板（２３）が固定されて、補強板（２３）の下縁寄りに操作部（２７）が形成されており、
外刃ホルダー（１２）の掛止フック（３５）の近傍に、左右一対の支点突起（４０）が分離配置されており、
各掛止フック（３５）と操作部（２７）との距離、および各支点突起（４０）と操作部（２７）との距離が、それぞれ等しく設定してある請求項１または２記載の電気かみそり。
【請求項４】
補強板（２３）が、刃本体（２１）の装着ベース（２２）に重合される連結領域（Ｚ１）と、連結領域（Ｚ１）から下方に連出される操作領域（Ｚ２）とを備えていて、操作領域（Ｚ２）の左右中央に操作部（２７）が設けられており、
操作部（２７）に臨む外刃ホルダー（１２）の内面壁に、弾性変形された取付基部（２６）を受け入れる逃げ凹部（４２）が形成されている請求項１、２または３記載の電気かみそり。
【請求項５】
支点突起（４０）の突出基端が、逃げ凹部（４２）の外郭線に隣接して形成してある請求項４記載の電気かみそり。
【発明の詳細な説明】
【技術分野】
【０００１】
本発明は、電気かみそりにおける外刃の取付構造の改良に関する。
【背景技術】
【０００２】
電気かみそりにおける一般的な外刃はシート状の網刃で形成してあり、外刃ホルダーで逆Ｕ字状に保形保持される。外刃はプレス加工あるいは電鋳加工によって得られる刃本体と、刃本体の対向側縁に溶着固定されるプラスチック製の補強板とで構成してある。刃本体および補強板には、外刃ホルダーの内面に設けた掛止フックと係合する掛止穴が通設してある。この種の外刃の取付構造は例えば特許文献１、２に公知である。掛止フックは逆Ｌ字状に形成してあって、内刃で押し上げ操作される外刃の上方移動を規制する。
【０００３】
本発明の外刃の取付構造に関して、外刃の取り外し操作を簡便化することを目的とした取付構造が、特許文献３に開示してある。そこでは外刃ホルダーの内面に、着脱できる装着板を配置し、外刃の一側縁を装着板に形成した掛止フックに係合装着している。装着板にはつまみ部が一体に形成してあり、このつまみ部は外刃ホルダーの下開口縁に沿って露出させてある。この取付構造によれば、つまみ部をつかんで引き下げるだけで外刃を外刃ホルダーから簡便に取り外すことができる。
【０００４】
【特許文献１】特開昭６３−１８１７８６号公報（第２頁左下覧４〜９行、第１図）
【特許文献２】特開昭６３−１８１７８７号公報（第２頁右上覧６〜１４行、第９図）
【特許文献３】特開昭６３−１９７４８５号公報（第３頁左下欄１〜４行、第１図）
【発明の開示】
【発明が解決しようとする課題】
【０００５】
特許文献１、２のように、逆Ｌ字状に形成した掛止フックに外刃を下方から掛止装着する取付構造では、外刃を掛止フックの掛止腕に沿って浮き離れ操作したうえで、抜止爪に沿って下方スライドする必要があるので、外刃を掛止フックから取り外すのが難しく、外刃の交換に手間取ることが多い。とくに、１個の外刃と１個の内刃とでひげ切断を行う電気かみそりの場合には、外刃ホルダーの装着開口の前後幅が小さいため、補強板を含む取付基部を親指と人差指とで摘むことができず、外刃を取り外すのが難しい。ユーザーによっては、外刃に過剰な外力を加えて変形させてしまうこともある。
【０００６】
特許文献３のように、外刃ホルダーに対して着脱できる装着板を設け、装着板の掛止フックに対して外刃を掛止装着する取付構造によれば、装着板を取り外し操作するだけで外刃を外刃ホルダーから簡便に取り外すことができ、外刃の交換などを容易に行える。しかし、取付板とは別に装着板を設けるので、その分だけコストが嵩む。本体ケースの一側に設けたきわ剃り刃を、内刃の駆動系から分岐した動力で駆動するような場合に、装着板が邪魔になるおそれもある。
【０００７】
本発明の目的は、掛止フックに対する外刃の着脱、とくに外刃の取り外し操作を確実にしかも簡単に行うことができ、したがって、外刃のメンテナンスや交換作業をユーザー自身で適正に行える電気かみそりを提供することにある。
【課題を解決するための手段】
【０００８】
本発明の電気かみそりは、かみそりヘッド７に着脱される外刃ホルダー１２と、外刃ホルダー１２で逆Ｕ字状に保持される外刃１１とを備えている。外刃１１は、シート状の網刃からなる刃本体２１と、刃本体２１の装着ベース２２に固定される補強板２３とを備えている。装着ベース２２と補強板２３とを含む取付基部２６の左右には、外刃ホルダー１２の内面に突設した逆Ｌ字状の掛止フック３５に下方から掛止装着される掛止穴２４が設けてある。左右の掛止フック３５の間に位置する外刃ホルダー１２の内面壁と、前記内面壁と対向する取付基部２６とのいずれか一方に支点突起４０を設ける。取付基部２６を支点突起４０に押し付けて、取付基部２６を内方傾動させながら分離操作するための操作部２７を取付基部２６に形成する。
【０００９】
かみそりヘッド７の背面側には、きわ剃り刃ユニット６が配置してある電気かみそりにおいて、外刃ホルダー１２の前側内面壁３１ａと、前側内面壁３１ａに対向する取付基部２６とのいずれか一方に支点突起４０を設ける。なお、この発明では説明の便宜上、モーター２への通電状態をオン・オフするスイッチノブ４が配置してある側を前面とし、きわ剃り刃ユニット６が配置してある側を背面とした。しかし、きわ剃り刃ユニット６が配置してある側を前面とし、その反対側を背面と規定して説明する場合であっても、実体的な意義に差を生じることはないので、その場合には、背面を前面に、前面を背面に読みかえて解釈することとする。
【００１０】
装着ベース２２の内面側に補強板２３を固定し、補強板２３の下縁寄りに操作部２７を形成し、外刃ホルダー１２の掛止フック３５の近傍に、左右一対の支点突起４０を分離配置し、各掛止フック３５と操作部２７との距離、および各支点突起４０と操作部２７との距離をそれぞれ等しく設定することができる。
【００１１】
支点突起４０の接当面４１は、掛止フック３５の掛止腕３６の中央と操作部２７の中央とを結ぶ仮想線Ｌ上に設けることができる。
【００１２】
補強板２３は、刃本体２１の装着ベース２２に重合される連結領域Ｚ１と、連結領域Ｚ１から下方に連出される操作領域Ｚ２とを備えている。その操作領域Ｚ２の左右中央には操作部２７を設け、操作部２７に臨む外刃ホルダー１２の内面壁に、弾性変形された取付基部２６を受け入れる逃げ凹部４２を形成する。支点突起４０の突出基端は、逃げ凹部４２の外郭線に隣接して形成する。
【発明の効果】
【００１３】
本発明では、外刃１１の取付基部２６の左右に設けた掛止穴２４が、外刃ホルダー１２に設けた逆Ｌ字状の掛止フック３５に下方から掛止装着してある電気かみそりにおいて、掛止フック３５の間の内面壁と取付基部２６とのいずれか一方に支点突起４０を設けるようにした。このように、外刃１１の取付基部２６と、外刃ホルダー１２との対向面に支点突起４０が設けてあると、外刃１１を取り外すとき、取付基部２６に設けた操作部２７を押圧操作することにより、支点突起４０を支点にして操作部２７と掛止穴２４とを逆向きに変移させることができる。その結果、掛止穴２４を掛止フック３５から浮き離れさせることができるので、その状態のままで操作部２７を押し下げ操作すると、取付基部２６を掛止フック３５から取り外すことができる。
【００１４】
以上のように、本発明の電気かみそりによれば、取付基部２６に設けた操作部２７を押圧し、さらに押し下げ操作することにより、外刃１１の取り外し操作を確実にしかも簡単に行うことができ、外刃１１のメンテナンスや交換作業をユーザー自身で適正に行えることとなる。
【００１５】
かみそりヘッド７の背面側にきわ剃り刃ユニット６が配置してある電気かみそりにおいては、外刃ホルダー１２の前側内面壁３１ａと、取付基部２６とのいずれか一方に支点突起４０を設けることにより、きわ剃り刃ユニット６用の駆動構造を避けて支点突起４０や操作部２７を設けることができるうえ、きわ剃り刃ユニット６用の駆動構造がいたずらに複雑化するのを解消でき、全体としてかみそりヘッド７の構造を簡素化できる。
【００１６】
掛止フック３５の近傍に左右一対の支点突起４０を分離配置し、各掛止フック３５と操作部２７との距離、および各支点突起４０と操作部２７との距離がそれぞれ等しく設定してあると、補強板２３に設けた操作部２７を押圧操作するだけで、左右の掛止穴２４の周辺壁を同時に、しかも均等に浮き離れ操作して、掛止フック３５に装着された外刃１１をさらに確実に取り外すことができる。支点突起４０が左右に分離配置してあると、例えば支点突起４０が左右横長の１個のリブで形成してある場合に比べて、掛止穴２４の周辺壁を確実に浮き離れ操作できる利点もある。
【００１７】
掛止フック３５の掛止腕３６の中央と操作部２７の中央とを結ぶ仮想線Ｌ上に支点突起４０の接当面４１を設けてあると、梃子における作用点（操作部２７）と支点（支点突起４０）と力点（掛止穴２４の周辺壁）との三者を一直線上に配置できるので、操作部２７を押圧操作するときに、掛止穴２４の周辺壁を力の伝達ロスのない状態で効果的に浮き離れ操作でき、掛止フック３５に装着した外刃１１の分離をさらに確実に行える。
【００１８】
装着ベース２２に重合される連結領域Ｚ１と、連結領域Ｚ１から下方に連出される操作領域Ｚ２とを含んで補強板２３を構成し、操作領域Ｚ２の左右中央に操作部２７を設けたうえで、操作部２７に臨む外刃ホルダー１２の内面壁に逃げ凹部４２を形成してあると、外刃１１を掛止フック３５から取り外すとき、弾性変形された取付基部２６を凹部内に受け入れて、取付基部２６が外刃ホルダー１２の内面壁に接当干渉するのを遅らせることができ、したがって取付基部２６を充分に内方傾動させて、掛止穴２４の周辺壁を掛止フック３５から的確に取り外すことができる。操作部２７が設けられる操作領域Ｚ２を連結領域Ｚ１から下方に連出するので、外刃ホルダー１２の装着開口３３の近傍に操作部２７を位置させることができ、外刃１１の着脱がさらに簡便に行える。
【００１９】
支点突起４０の突出基端が逃げ凹部４２の外郭線に隣接して形成されていると、弾性変形された取付基部２６が逃げ凹部４２の周囲壁に接当するのを解消できるので、掛止穴２４の周辺壁を充分に内方傾動させて、掛止フック３５から的確に取り外すことができる。
【発明を実施するための最良の形態】
【００２０】
図１ないし図６は本発明に係る電気かみそりの実施例を示す。図１および図２において、符号１はグリップを兼ねる本体ケースであり、その内部にはモーター２、２次電池３、制御基板などを収容してある。本体ケース１の前面には、モーター２を起動し、あるいは停止させるためのスイッチノブ４と、表示灯５などが設けられており、背面側にはきわ剃り刃ユニット６を設けてある（図３参照）。本体ケース１の上部のかみそりヘッド７には、内刃１０と外刃１１、および外刃１１を逆Ｕ字状に保形保持する外刃ホルダー１２が設けてある。
【００２１】
モーター２の回転動力は、振動子１３で往復動力に変換されたのち、振動子１３の上面に突設した駆動軸１４を介して内刃１０に伝動される。内刃１０は、逆Ｕ字状の櫛刃からなる内刃本体１５と、内刃本体１５の下面側に固定される刃ホルダー１６とからなり、刃ホルダー１６が先の駆動軸１４に連結される。内刃１０の全体は、駆動軸１４と刃ホルダー１６との間に配置された圧縮コイル形のばね１７で押し上げ付勢してある。
【００２２】
図４において外刃１１は、シート状の網刃からなる刃本体２１と、刃本体２１の装着ベース２２に固定される補強板２３とからなる。装着ベース２２は、刃本体２１の一対の長辺部に沿って設けてあり、一対の装着ベース２２の間に網刃からなる切刃を形成してある。補強板２３は、左右横長のプラスチック成形品であり、板面の左右２箇所に四角形の掛止穴２４が開口しており、板面の長手方向に沿って７個の溶着ピン２５を直線列状に設けてある。外刃１１において、装着ベース２２と補強板２３とを含む部分を取付基部２６とする。
【００２３】
補強板２３は、後述するように外刃ホルダー１２の前後壁３１・３２の内面に掛止装着される。両補強板２３のうち、外刃ホルダー１２の後側内面壁３２ａに掛止される補強板２３は、装着ベース２２と重合する部分のみで形成するが、図１および図４に示すように、外刃ホルダー１２の前側内面壁３１ａに掛止される補強板２３は、装着ベース２２と重合する連結領域Ｚ１と、連結領域Ｚ１に連続して装着ベース２２からはみ出る操作領域Ｚ２とを一体に備えている。先の掛止穴２４は連結領域Ｚ１に開口している。
【００２４】
溶着ピン２５が設けられる板面の裏面側で、操作領域Ｚ２の左右中央部分には、取付基部２６を後述する掛止フック３５から分離操作するための操作部２７を形成してある。図５に示すように操作部２７は、操作方向を示す指標を兼ねる逆三角形状の主突起２７ａと、主突起２７ａの上側に隣接配置される一文字状の突起２７ｂとからなり、主突起２７ａの頂角部分が操作領域Ｚ２の下縁に近接する状態で形成してある。
【００２５】
外刃ホルダー１２は、逆Ｕ字状に形成される左右一対の側壁３０と、両側壁３０を繋ぐ前壁３１および後壁３２とを一体に備えたプラスチック成形品であり、上下面がそれぞれ開口している。下側の開口は、かみそりヘッド７の上面に膨出した装着部７ａに外嵌する装着開口３３として機能し、上側の開口は外刃１１の湾曲する切刃部分を露出させるために設けてある。
【００２６】
外刃ホルダー１２の前壁３１および後壁３２の内面左右には、それぞれ外刃１１の掛止穴２４を掛止するための掛止フック３５を一体に形成してある。掛止フック３５は、図１に示すように前側内面壁３１ａまたは後側内面壁３２ａから水平に突出する掛止腕３６と、掛止腕３６の突端から下向きに折れ曲がる抜止爪３７とで逆Ｌ字状に形成してあり、両者３６・３７の上隅部分に斜めのガイド面３８が設けてある。
【００２７】
図３に示すように、掛止フック３５に掛止装着された状態の外刃１１の取り外し操作を確実に行うために、外刃ホルダー１２の前側内面壁３１ａに左右一対の支点突起４０を分離配置する。さらに、操作部２７に臨む前側内面壁３１ａに逃げ凹部４２を形成する。支点突起４０は突端の接当面４１が丸められた三角形状のリブ状突起からなり、図５に示すように掛止フック３５の近傍で、掛止フック３５の掛止腕３６の中央と操作部２７の中央とを結ぶ仮想線Ｌ上に接当面４１が位置するように支点突起４０を設ける。これにより、各掛止フック３５と操作部２７との距離、および各支点突起４０と操作部２７との距離がそれぞれ等しく設定される。
【００２８】
逃げ凹部４２は、操作部２７に臨む前側内面壁３１ａの上寄り中央部分から装着開口３３にわたる領域に設けられて、その外郭線が上凸状の湾曲線となるように凹み形成してある。このように広い範囲に亘って逃げ凹部４２を形成すると、外刃１１を掛止フック３５から取り外すとき、弾性変形された取付基部２６を凹部内に受け入れて、取付基部２６が前側内面壁３１ａに接当干渉するのを遅らせることができる。したがって、取付基部２６を充分に内方傾動させることができる。先の支点突起４０は、その下側の突出基端が逃げ凹部４２の外郭線に連続するように形成してある。
【００２９】
図４に示すように、外刃ホルダー１２の後壁３２には、きわ剃り刃ユニット６を受け入れる切欠４４が形成されている。両側壁３０とヘッドケースとの間には、かみそりヘッド７に装着した外刃ホルダー１２をロックするロック構造が設けてある。図２においてロック構造は、本体ケース１の上部両側から露出するロック解除ボタン４５と、ロック解除ボタン４５と一体に設けられるロック爪４６と、ロック爪４６を係合付勢するロックばね４７と、ロック爪４６に対応して両側壁３０の内面に凹み形成されるロック凹部４８とからなる。左右のロック解除ボタン４５をロックばね４７の付勢力に抗して押し込み操作すると、ロック爪４６とロック凹部４８との係合が解除されるので、外刃ホルダー１２をかみそりヘッド７から取り外すことができる。
【００３０】
外刃ホルダー１２をかみそりヘッド７に装着した状態では、図３に示すように外刃１１が内刃１０と共にばね１７で押し上げ操作されて、逆Ｕ字状に保形されている。このとき、掛止穴２４の下周面が掛止フック３５の掛止腕３６の下面で受け止められて、外刃１１の上方移動が規制されている。外刃ホルダー１２をかみそりヘッド７から取り外すと、図６に示すように外刃１１は外刃ホルダー１２の前後壁３１・３２で受け止められて、逆Ｕ字状の湾曲姿勢に保持される。
【００３１】
外刃１１を取り外す場合には、指先を操作部２７にあてがって、図１に示すように取付基部２６を支点突起４０に押し付けて、取付基部２６を実線で示すように内方傾動させる。このとき、支点突起４０の接当面４１で受け止められた取付基部２６は、支点突起４０の間の壁面が緩やかに湾曲し、掛止穴２４の周辺壁が前側内面壁３１ａから浮き離れる向きに傾動する。つまり、仮想線Ｌ上に位置する操作部２７と掛止穴２４とは、支点突起４０を支点にして互いに逆向きに動く。その結果、掛止穴２４は掛止腕３６から抜け出て、その上周面がガイド面３８に臨む。この状態を保持したままで、指先で操作部２７を押し下げ操作すると、掛止穴２４が抜止爪３７に沿って下降するので、前側の取付基部２６を掛止フック３５から分離できる。併行して後側の取付基部２６に設けた掛止穴２４が前方に傾動しながらガイド面３８を乗り越えるので、後側の掛止穴２４を抜止爪３７に沿って下降させることにより、外刃１１の全体を外刃ホルダー１２から取り外すことができる。
【００３２】
図７は補強板２３に関する本発明の別実施例を示す。そこでは、支点突起４０を補強板２３と一体に形成した。支点突起４０は丸ピン状に形成してあり、上記の実施例における支点突起と同じ位置に形成した。他は先の実施例と同じであるので、同じ部材に同じ符号を付してその説明を省略する。
【００３３】
上記の実施例以外に、操作部２７は凹部として形成することができ、要は指先が引っ掛かる滑止構造であれば、その構造の違いは問わない。掛止フック３５におけるガイド面３８は部分円弧面で形成することができる。支点突起４０は必ずしも左右に分離配置する必要はなく、例えば左右横長のリブ状に形成することができる。その場合のリブは、操作部２７より上方で、しかも左右一対の掛止フック３５より下方に設けることが好ましい。操作領域Ｚ２は装着ベース２２からはみ出ている必要はなく、その一部あるいは全部が装着ベース２２と重合していてもよい。操作部２７や支点突起４０などの取外構造は、前後いずれか一方に設けてあればよいが、必要があれば前後双方に設けることができる。
【図面の簡単な説明】
【００３４】
【図１】外刃の取付構造を示す断面図である。
【図２】電気かみそりの正面図である。
【図３】かみそりヘッドの縦断側面図である。
【図４】外刃と外刃ホルダーの分解斜視図である。
【図５】外刃ホルダーの縦断正面図である。
【図６】外刃ホルダーの縦断側面図である。
【図７】補強板の別実施例を示す断面図である。
【符号の説明】
【００３５】
７  かみそりヘッド
１１  外刃
１２  外刃ホルダー
２１  刃本体
２２  装着ベース
２３  補強板
２４  掛止穴
２６  取付基部
２７  操作部
３５  掛止フック
４０  支点突起
【図１】
0004775889.tif 000002
【図２】
0004775889.tif 000003
【図３】
0004775889.tif 000004
【図４】
0004775889.tif 000005
【図５】
0004775889.tif 000006
【図６】
0004775889.tif 000007
【図７】
0004775889.tif 000008